(57)【要約】【課題】背もたれ下方の空間が制限されていても折り畳むことが可能であり折り畳んでも背もたれの前後に大きくはみ出ることのないシート体を備えた椅子兼用ポータブルトイレを提供すること。【解決手段】便座を覆うシート体２７を折り畳んで格納するようにした椅子兼用ポータブルトイレ１において、シート体２７をその前後方向で２分割し前部分割体２７ａと後部分割体２７ｂとする。そして、後部分割体２７ｂの後端側に装着した回動アーム３０によって座部に対して同後部分割体２７ｂを回動可能に軸支する。背もたれ部１６の下方位置に座部上面に対して段違いに下がった棚部を有する格納スペース２５を形成し、後部分割体２７ｂを回動アーム３０を基点に後方に回動させていき格納スペース２５の棚部上に後部分割体２７ｂの後端面を当接させる。後部分割体２７ｂは背もたれ１６と棚部間に立設して配置されることとなる。【選択図】      図２
2006109968.tif 000002
【特許請求の範囲】
【請求項１】
開口部を有する座部と、同座部を支持する複数の脚部と、同座部の開口部に配設された便座と、同便座を覆う同座部上面に載置されるシート体と、同座部後方に立設された左右一対の背もたれ用支柱と、同両支柱に支持されるとともに当該支持位置の下方に前後方向に連通する空間を形成した背もたれ部とを備えた椅子兼用ポータブルトイレにおいて、
前記シート体をその前後方向で２分割し前部分割体と後部分割体とし、同両分割体をヒンジ部材によって上折れ可能に連結し、
同後部分割体の後端側に同後部分割体から離間した位置に回動中心が配置された回動アームを装着し、同回動アームによって前記座部に対して同後部分割体を回動可能に軸支し、
前記後部分割体の後方であって、前記背もたれ部の下方位置には座部上面に対して段違いに下がった棚部を有する格納スペースを形成し、
前記後部分割体を前記回動アームを基点に後方に回動させながら立設させ前記格納スペースの前記棚部上に同後部分割体の後端面を当接させ、同後部分割体を背もたれ部と棚部間に配置するようにしたことを特徴とする椅子兼用ポータブルトイレ。
【請求項２】
前記後部分割体は前記棚部上に同後部分割体の後端面が当接させられた状態でそれ以上後傾しないことを特徴とする請求項１に記載の椅子兼用ポータブルトイレ。
【請求項３】
前記後部分割体が格納された状態で前記前部分割体を同後部分割体と背中合わせに立設させると同両分割体の厚みが背もたれ部の前後幅と略一致することを特徴とする請求項１又は２に記載の椅子兼用ポータブルトイレ。
【請求項４】
前記前部分割体の上面は立設状態において前記背もたれ部の前面と略面一に配置されることを特徴とする請求項３に記載の椅子兼用ポータブルトイレ。
【請求項５】
前記後部分割体が立設状態で保持されるように保持手段を設けるようにしたことを特徴とする請求項１〜４のいずれかに記載の椅子兼用ポータブルトイレ。
【発明の詳細な説明】
【技術分野】
【０００１】
本発明は主として病人や高齢者等の介護が必要な人に使用される便器が併設された椅子兼用ポータブルトイレに関するものである。
【背景技術】
【０００２】
従来から病人やけが人あるいは高齢者等介護が必要な人のために便器が併設された持ち運びが可能な椅子兼用ポータブルトイレが病室や一般家庭の個室において使用されている。
このような椅子兼用ポータブルトイレで用を足す（排便する）場合は椅子として使用する際に座面を構成するシート体を開放あるいは取り外し、下面に格納された便座を露出させて使用する。便座の下方位置には汚物を受けるためのバケツが配設されており、使用後はバケツのみを取り外して掃除することが可能である。このような便器付き椅子の一例として特許文献１を挙げる。
【特許文献１】特開２００１−１９０４４８号公報
【発明の開示】
【発明が解決しようとする課題】
【０００３】
ところで、このようなポータブルトイレで用を足す際にシート体を一旦取り外して使用するタイプではシート体を便器として使用する度に一々着脱するのが面倒である。更に取り外したシート体を置き場がなくて床面に置くような場合では用便後にこれを取り上げるため一旦しゃがまねばならず病人や老人ではそのような動作がつらく感じる場合もある。そのため、シート体を取り外さず２つに折り曲げて背もたれの後方位置に退避させるという発想がある。しかし、このような退避タイプでは次のような問題がある。
１）シート体を取り外さず２つに折り曲げて、背もたれの後方位置に退避させる場合には図９に示すように背もたれ５０の下方の空間をシート体５１を通過させて後方に移動させるようにする必要がある。この図９のように背もたれ５０位置を高くしてその下方に十分な空間を形成させることができれば問題はない。しかし、実際にはこの種の椅子兼用ポータブルトイレにおいては一般的な体型の人間にとって背中が肩胛骨よりも下の低い位置で背もたれに当接するように設定されている。これは老人や病人等体力のない人をしっかりと保持し、なおかつ肩胛骨よりも上の皮膚の薄い部分がなるべく背もたれに接することのないように配慮したものである。そのため、椅子兼用ポータブルトイレにおいては背もたれの下方の空間は狭い。加えて、この種の椅子兼用ポータブルトイレは便座やバケツの取り付けのためにシート体は比較的大きく、そのためにシート体の前後長も長めに設計される。つまり、背もたれの下方空間が狭いことに加え、シート体の前後が長いことと相まって折り畳んで背もたれの下方空間を通過させることが実際にはできなかった。
２）背もたれ背面に他の付属設備（例えば、物入れ、シャワートイレ用ユニット、シャワー用タンク等）を装着する場合がある。このようにな付属設備があると例えシート体を折り畳むことができたとしても付属設備が邪魔となってしまいシート体を後方に退避させることができなくなってしまう。
本発明は、このような従来の技術に存在する問題点に着目してなされたものである。その目的とするところは、背もたれ下方の空間が制限されていても折り畳むことが可能であり折り畳んでも背もたれの前後に大きくはみ出ることのないシート体を備えた椅子兼用ポータブルトイレを提供することにある。
【課題を解決するための手段】
【０００４】
上記の目的を達成するために請求項１に記載の発明では、開口部を有する座部と、同座部を支持する複数の脚部と、同座部の開口部に配設された便座と、同便座を覆う同座部上面に載置されるシート体と、同座部後方に立設された左右一対の背もたれ用支柱と、同両支柱に支持されるとともに当該支持位置の下方に前後方向に連通する空間を形成した背もたれとを備えた椅子兼用ポータブルトイレにおいて、前記シート体をその前後方向で２分割し前部分割体と後部分割体とし、同両分割体をヒンジ部材によって上折れ可能に連結し、同後部分割体の後端側に同後部分割体から離間した位置に回動中心が配置された回動アームを装着し、同回動アームによって前記座部に対して同後部分割体を回動可能に軸支し、前記後部分割体の後方であって、前記背もたれの下方位置には座部上面に対して段違いに下がった棚部を有する格納スペースを形成し、前記後部分割体を前記回動アームを基点に後方に回動させながら立設させ前記格納スペースの前記棚部上に同後部分割体の後端面を当接させ、同後部分割体を背もたれと棚部間に配置するようにしたことをその要旨とする。
【０００５】
このような構成では、後部分割体を回動アームを基点に後方に回動させながら立設させていくと、回動アームの回動中心は後部分割体から離間した位置にあるため、後部分割体も回動アームの回動中心からアームの長さ及び延出方向に応じた軌跡で回動することとなる。本発明では棚部は後部分割体の後方であって、背もたれの下方位置に一段下がって形成されており、回動アームは後部分割体後端面をこの位置に立設させ得るような位置に回動中心が配置され、更に所定の延出長さ及び形状に構成されている。後部分割体はその立ち上げ動作に伴って後方に移動すると同時に一段下がった棚部方向に向かって斜めに移動していくようになっている。そのため、背もたれの位置が低くとも後部分割体を格納スペースに格納することが可能となる。また、格納スペースはちょうど背もたれの下方位置に配置されるため、折り畳んだシート体が背もたれから後方側に出っ張ることもない。後部分割体は背もたれと棚部の間に挟まれるような状態で格納スペースに格納されることとなる。同時に前部分割体はその後部分割体の立設に追随し、背中合わせに配置されることとなる。
【０００６】
また、請求項２の発明では請求項１に記載の発明の構成に加え、前記後部分割体は前記棚部上に同後部分割体の後端面が当接させられた状態でそれ以上後傾しないようにしたことをその要旨とする。
これによって格納スペースに格納された後部分割体が背もたれよりも後方側に倒れないため例えば背もたれの背後に他の付属設備（例えばシャワー用タンク等）が配設されたとしてもこれに当接することはない。また、背もたれよりも後方側にはみ出ることもないため外観上も好ましい。
また、請求項３の発明では請求項１又は２に記載の発明の構成に加え、前記後部分割体が格納された状態で前記前部分割体を同後部分割体と背中合わせに立設させると同両分割体の厚みが背もたれの前後幅と略一致するようにしたことをその要旨とする。また、請求項４の発明では請求項３に記載の発明の構成に加え、前記前部分割体の上面は立設状態において前記背もたれの前面と略面一に配置されるようにしたことをその要旨とする。
つまり、折り曲げた状態で両分割体の厚みが背もたれの前後幅と略一致して大きくはみ出ることがないため、後方側においては他の付属設備があってもこれに当接することはなく、前方側においては背もたれにもたれる使用者の邪魔になることがない。前部分割体の上面は立設状態において前記背もたれの前面と略面一に配置されることが好ましい。
また、請求項５の発明では請求項１〜４のいずれかに記載の発明の構成に加え、前記後部分割体が立設状態で保持されるように保持手段を設けるようにしたことをその要旨とする。
このように後部分割体の立設状態を維持させるための保持手段を設けるようにすると後部分割体が後部分割体が前方に倒伏しないようになって使い勝手がよい。具体的には後部分割体の左右幅を背もたれ用支柱の間隔と同じあるいはわずかに幅広として背もたれ用支柱に圧入して挟持させるようにすることが好ましい。あるいは、後部分割体の前後幅を背もたれと棚部の間隔と同じあるいはわずかに幅広として背もたれと棚部に圧入して挟持させるようにすることが好ましい。
【発明の効果】
【０００７】
上記各請求項の発明では、使用目的から背もたれの位置の制約を受けやすい椅子兼用ポータブルトイレにおいて背もたれの位置が低くても折り曲げたシート体を背もたれ下方に導くことが可能であり、更に背もたれ下方に格納スペースを形成したため折り曲げたシート体を前後に突出させることなく格納することが可能となる。
【発明を実施するための最良の形態】
【０００８】
以下、本発明の椅子兼用ポータブルトイレ（以下、単にポータブルトイレとする）を具体化した実施の形態を図面に基づいて説明する。尚、以下の説明で前方とは普通に椅子に着座した際の足先側をいい、後方とは背側をいうものとする。
図１及び２に示すように、ポータブルトイレ１は左右前方に立設配置された２本の短尺の前方脚部２と左右後方に立設配置された２本の長尺の後方脚部３を備えている。両前方脚部２と後方脚部３間には左右一対の側部フレーム４が前後方向に水平に架設されている。側部フレーム４の前端には前部フレーム５が左右方向に水平に架設されている。これら左右の側部フレーム４及び前部フレーム５によって座部が構成されている。側部フレーム４及び前部フレーム５の上面は面一に形成されている。側部フレーム４の内側にはその上面が側部フレーム４の上面と面一となるように補助プレート６が重複状に配設されている。補助プレート６及び前部フレーム５の内面側には便座８を吊り下げ支持するための係合突条７が固着されている。図２及び図８に示すように、便座８は側部フレーム４及び前部フレーム５によって構成される開口部内において係合突条７によって支承される。
【０００９】
左右各々の脚部２，３及び左右各々の側部フレーム４によって三方から包囲されたコ字状の領域内にはそれぞれ側部目隠しプレート９が配設されている。
左右の両脚部２，３の下端にはそれぞれそり状の補助脚１０が前後方向に水平に配設されている。補助脚１０はスライドプレート１１及びスライドプレート１１の前後端上面から上方に向かって立設された連結プレート１２から構成されている。両連結プレート１２はそれぞれ前後方の脚部２，３の外方に重複状に配置されている。各連結プレート１２は固定ボルト１１によって前後方の脚部２，３に対して締め付け固定されている。スライドプレート１１の後端位置にはブラケット１４に支持された転動輪１５が回動可能に配設されている。
【００１０】
背もたれ用支柱としての後方脚部３の上部位置にはクッションが内蔵された背もたれ１６が固着されている。両後方脚部３の同背もたれ１６の直下位置から前方に向かって左右一対の肘掛けフレーム１７が水平に延出されている（図１及び図２では肘掛けフレーム１７は一部省略）。肘掛けフレーム１７の前方寄りは前記側部目隠しプレート７を基点に立設された支持フレーム１８によって支持されている。左右の前方脚部２間であって前記前部フレーム５の下方には前部目隠しプレート１９が配設されている。
左右の後方脚部３間には棚部としての補強プレート２０が左右方向に水平に架設されている。補強プレート２０は前記座部を構成する側部フレーム４及び前部フレーム６の上面に対して段違いに低い位置に上面となるように配設されている。補強プレート２０の裏面には補強プレート２０を補強支持する支持プレート２１が配設されている。図４に示すように、補強プレート２０の後方に隣接した位置であって、左右の後方脚部３間にはロ字形状に構成された補強フレーム２２が配設されている。補強フレーム２２にはタンク設置台２３及びホルダー２４が装着されている。背もたれ１６、左右の後方脚部３、補強プレート２０及び補強フレーム２２によって包囲された背もたれ１６の下方空間が格納スペース２５とされる。
【００１１】
左右の側部フレーム４及び前部フレーム６の上面にはクッションが内蔵されたシート体２７が配設されている。シート体２７は便座８を上方から覆った状態（つまり、座席として使用する場合）においてはその周縁部裏面が側部フレーム４及び前部フレーム５の上面と当接し支持されることとなる。シート体２７は前部分割体２７ａと後部分割体２７ｂとに前後方向で２分割されヒンジ２８によって上折れ可能に連結されている。前部分割体２７ａ上部中央にはシート体２７を持ち上げるための取っ手２９が配設されている。後部分割体２７ｂの前後長さは背もたれ１６の下端〜補強プレート２０上面間の間隔よりも僅かに短く構成されている。前部分割体２７ａは後部分割体２７ｂよりも若干短く構成されている。
図４及び図５に示すように、シート体２７は後部分割体２７ｂの後端寄りにおいて左右に配設された回動アーム３０によって左右の側部フレーム４間において回動可能に連結されている。図６及び図７に示すように、回動アーム３０の回動中心軸３１は補強プレート２０の前方上部位置において側部フレーム４に対して軸支されている。回動アーム３０はＬ字状に形成されており短尺部３０ａの基部が側部フレーム４の回動中心軸３１に連結されている。回動アーム３０は長尺部３０ｂから更に延設された連結部３０ｃによって後部分割体２７ｂに連結されている。図６に示すように、長尺部３０ｂが立設した状態においてちょうどシート体２７が便座８を覆う位置に配置される。また図７に示すように、長尺部３０ｂが水平に倒伏した状態においてちょうどシート体２７が格納スペース２５に格納される。
タンク設置台２３及びホルダー２４によって仮想線で図示されるシャワー装置３２が保持されている。シャワー装置３２は図示しないバケツを洗浄するための装置であって、タンク、電動ポンプ、ホース、先端ノズル等を備えている。
【００１２】
このような構成のポータブルトイレ１を使用する際の作用について説明する。
ポータブルトイレ１を椅子として使用する場合には図１のようにシート体２７によって便座８を覆った状態で使用する。一方、トイレとして使用する際には図１の状態からシート体２７を格納スペース２５に退避格納させる必要がある。その場合にはまず取っ手２９を持ってシート体２７を上方に引き上げながらシート体２７全体を後方に押動させていくようにする。すると、シート体２７の移動に伴って回動アーム３０が回転を開始し、後部分割体２７ｂが立設方向に回転していく。前部分割体２７ａは後部分割体２７ｂの後退に追随して後退するとともに、ヒンジ２８を中心に自重で前方側が下垂することとなる。
この時、後部分割体２７ｂの後端の動きを見ると、図６の仮想線で示す原位置から回動アーム３０の回転に伴って矢印で示すように後方に移動するとともに斜め下方に移動していくこととなる。そして図７の仮想線に示すように、回動アーム３０の長尺部３０ａが水平に倒伏した状態（ほぼ９０度回転した状態）で後部分割体２７ｂの後端面が補強プレート２０及び補強フレーム２２の上面に当接することとなる。このとき後部分割体２７ｂは格納スペース２５内において後方脚部３に沿ってほぼ垂直に立設されることとなる。
ここに図３に示すように、シート体２７の横幅は両後方脚部３間の間隔よりもわずかに幅広に構成されている。そのため、前部分割体２７ａを後方に押動して両後方脚部３間に圧入することによって後部分割体２７ｂを後方脚部３に挟持させて格納スペース２５内においてぐらつかずにしっかりと保持させることができる。更に、この押動動作によって前後分割体２７ａ，２７ｂを背中合わせにきちんと立設させることとなる。
この時、図６〜図８に示すように、後部分割体２７ｂは後方に後傾することがないので後方のシャワー装置３２と干渉することはない。また、前後分割体２７ａ，２７ｂは背もたれ１６の前後幅内に収まるため、前部分割体２７ａが背もたれ１６から前方から出っ張り、便座８を使用する者の背中を押すというようなこともない。むしろ、使用する者の背中を背もたれ１６の下部位置で支える役割を果たすこととなる。
【００１３】
本発明は上記実施の形態のように構成することにより次のような具体的効果を奏する。  （１）ポータブルトイレ１は背もたれ１６が低い位置にあるため、一般にシート体を折り曲げてその下方を通過させることは困難である。しかし上記実施の形態では補強プレート２０及び補強フレーム２２の上面が側部フレーム４及び前部フレーム６の上面に対して段違いに低い位置に形成され、なおかつ回動アーム３０によって後部分割体２７ｂが後方斜め下方に移動するため、背もたれ１６が低い位置にあってもシート体２７を折り曲げることが可能となっている。そのため、背もたれ１６の下方の格納スペース２５内に格納することが可能となっている。
（２）折り曲げたシート体２７を背もたれ１６の下方の格納スペース２５に前後にはみ出ることなく収納できるため、後方に配置されたシャワー装置３２と干渉することはなく、便座８を使用する者の背中に当たってしまうような不具合も生じない。
（３）後部分割体２７ｂが立設状態でちょうどその後端が補強プレート２０及び補強フレーム２２の上面に当接するため、それがストッパになってそれ以上後部分割体２７ｂが後傾することがない。従って、後部分割体２７ｂが後方に配置されたシャワー装置３２と干渉することがなくなる。
（４）シート体２７の横幅は両後方脚部３間の間隔よりもわずかに幅広に構成されている。そのため、前部分割体２７ａを後方に押動して両後方脚部３間に圧入することによって後部分割体２７ｂを後方脚部３に挟持させて格納スペース２５内においてぐらつかずにしっかりと保持させることができる。
【００１４】
尚、この発明は、次のように変更して具体化することも可能である。
・上記実施の形態においてシャワー装置３２を配設せずに使用しても構わない。
・上記実施の形態のポータブルトイレ１のデザインは一例であって、脚２，３の数や便座８の形状はもちろん変更可能である。
・その他、本発明の趣旨を逸脱しない態様で実施することは自由である。
【図面の簡単な説明】
【００１５】
【図１】本発明の実施の形態のポータブルトイレの一部切り欠き斜視図。
【図２】同じ実施の形態のポータブルトイレのシート体を格納した状態の一部切り欠き斜視図。
【図３】同じ実施の形態のポータブルトイレの背面図。
【図４】同じ実施の形態のポータブルトイレの後方からの一部切り欠き部分拡大斜視図。
【図５】同じ実施の形態のポータブルトイレの側断面図。
【図６】同じ実施の形態のポータブルトイレのシート体を格納前の状態を説明する要部拡大説明図。
【図７】同じ実施の形態のポータブルトイレのシート体の格納完了状態を説明する要部拡大説明図。
【図８】同じ実施の形態のポータブルトイレにおいて便座がセットされた状態の平面図。
【図９】想定した従来のポータブルトイレのシート体の折り畳み過程を説明する概略側面図。
【符号の説明】
【００１６】
１…椅子兼用ポータブルトイレ、２…脚部としての前方脚部、３…脚部及び背もたれ用支柱としての後方脚部、４…座部としての側部フレーム、５…座部としての前部フレーム、８…便座、１６…背もたれ部、２５…格納スペース、２７…シート体、２７ａ…前部分割体、２７ｂ…後部分割体、２８…ヒンジ部材としてのヒンジ、３０…回動アーム。
【図１】
2006109968.tif 000003
【図２】
2006109968.tif 000004
【図３】
2006109968.tif 000005
【図４】
2006109968.tif 000006
【図５】
2006109968.tif 000007
【図６】
2006109968.tif 000008
【図７】
2006109968.tif 000009
【図８】
2006109968.tif 000010
【図９】
2006109968.tif 000011